(57)【要約】【課題】  アクティブイメージおよびビデオディスプレイアスペクト比の不整合と関連するバーンインを低減する方法、装置およびシステムが開示される。【解決手段】  標準ディスプレイにフルワイドスクリーンイメージを表示するか、または、ワイドスクリーンディスプレイにフル標準イメージを表示することによって生じ得るバーンインは、時間の経過とともに、ディスプレイ内のフルイメージの位置をシフトすることによって、低減される。【選択図】  図１
2005218087.tif 000002
【特許請求の範囲】
【請求項１】
第１の側部と、前記第１の側部に対向する第２の側部とを有するビデオディスプレイにイメージ信号からのビデオイメージを表示する方法であって、前記ビデオイメージは、第１の側部と、前記第１の側部に対向する第２の側部とを有するアクティブイメージ領域を備え、前記アクティブイメージ領域は、前記ビデオディスプレイとは異なったアスペクト比を有する、方法であって、前記方法は、
前記ビデオディスプレイの前記第１の側部と前記アクティブイメージ領域の前記第１の側部との差に対応するオフセットを決定するステップと、
前記オフセットを調整し、これにより、前記アクティブイメージは、前記ビデオディスプレイ内の、前記ビデオディスプレイの前記第１の側部と前記第２の側部とによって決定された領域の少なくとも一部分において移動されるステップと
を包含する、方法。
【請求項２】
前記ビデオディスプレイに対する前記アクティブイメージのシフトパラメータを計算するステップと、
前記アクティブイメージを拡大するためのズーム値を計算するステップとをさらに包含する方法であって、
前記決定するステップは、前記シフトパラメータと前記ズーム値とに基づいて前記オフセット値を決定するステップを包含する、請求項１に記載の方法。
【請求項３】
前記イメージ信号が前記ビデオディスプレイによって提供される場合、前記イメージ信号は、前記ビデオディスプレイの前記第１の側部に対応する同期信号を有し、
前記決定するステップは、前記同期信号と前記アクティブイメージ領域の前記第１の側部との間の遅延期間を決定するステップを包含し、
前記調整するステップは、前記遅延期間を調整するステップを包含する、請求項１に記載の方法。
【請求項４】
前記オフセットが調整され、これにより、前記アクティブイメージ領域は、前記ビデオディスプレイ内の複数の異なった相対領域に表示される、請求項１に記載の方法。
【請求項５】
前記オフセットが調整され、これにより、それぞれ、前記アクティブイメージ領域が前記ビデオディスプレイの前記第１の側部に向かって移動する場合、前記アクティブイメージ領域は、前記アクティブ領域の前記第１の側部が前記ビデオディスプレイの前記第１の側部に対応するまで、前記ビデオディスプレイの前記第１の側部に向かって移動され、前記アクティブイメージ領域が前記ビデオディスプレイの前記第２の側部に向かって移動する場合、前記アクティブイメージ領域は、前記アクティブイメージ領域の前記第２の側部が前記ビデオディスプレイの前記第２の側部に対応するまで、前記ビデオディスプレイの前記第２の側部に向かって移動され、前記アクティブイメージ領域が前記ビデオディスプレイの前記第１および第２の側部の１つに達した場合、前記アクティブイメージ領域は、前記ビデオディスプレイの前記第１および第２の側部に向かって移動される、請求項１に記載の方法。
【請求項６】
前記オフセットは所定のレートで調整され、前記所定のレートは、人間の目が前記アクティブイメージ領域の移動を検出しないように選択される、請求項１に記載の方法。
【請求項７】
前記ビデオディスプレイは、前記ビデオディスプレイの前記第１の側部と並行する複数のピクセルロウを備え、前記遅延期間は、所定のレートで調整され、前記所定のレートは、毎分２ピクセルロウよりも小さい、請求項１に記載の方法。
【請求項８】
前記アクティブイメージ領域は、前記ビデオディスプレイに表示される前に、前記ビデオディスプレイを表すメモリバッファに書き込まれ、前記調整するステップは、
前記アクティブイメージ領域が書き込まれる、前記メモリバッファ内の前記位置を調整して、前記アクティブイメージの前記位置を前記ビデオディスプレイ内で移動させるステップを包含する、請求項１に記載の方法。
【請求項９】
前記ビデオディスプレイは、ラスタを偏向して、前記ビデオディスプレイに前記アクティブイメージ領域を生成する偏向コイル装置を有し、前記調整するステップは、
前記偏向コイル装置に印加される信号を調整して、ラスタを変更し、これにより、前記アクティブイメージの前記位置が前記ビデオディスプレイ内で印加されるステップを包含する、請求項１に記載の方法。
【請求項１０】
第１の側部と、前記第１の側部に対向する第２の側部とを有するビデオディスプレイにイメージ信号からのビデオイメージ表示するシステムであって、前記ビデオイメージは、第１の側部と、前記第１の側部に対向する第２の側部とを有するアクティブイメージ領域を備え、前記アクティブイメージ領域は、前記ビデオディスプレイとは異なったアスペクト比を有する、システムであって、前記システムは、
前記ビデオディスプレイの前記第１の側部と前記アクティブイメージ領域の前記第１の側部との差に対応するオフセットを決定する手段と、
前記オフセットを調整し、これにより、前記アクティブイメージは、前記ビデオディスプレイ内の、前記ビデオディスプレイの前記第１の側部と前記第２の側部とによって決定された領域の少なくとも一部分において移動される手段と
を備える、システム。
【請求項１１】
前記ビデオディスプレイに対する前記アクティブイメージのシフトパラメータを計算する手段と、
前記アクティブイメージを拡大するためのズーム値を決定する手段と
をさらに備えるシステムであって、
前記オフセットを決定する手段は、前記シフトパラメータと前記ズーム値とに基づいて前記オフセット値を決定する、請求項１０に記載のシステム。
【請求項１２】
最後に調整されたオフセットに対応する最後の位置インジケータを格納する手段をさらに備え、起動時に、前記オフセットが前記最後に調整されたオフセットにセットされる、請求項１０に記載のシステム。
【請求項１３】
前記アクティブイメージ領域は、前記ビデオディスプレイに表示される前に、前記ビデオディスプレイを表すメモリバッファに書き込まれ、前記調整する手段は、
前記アクティブイメージが書き込まれる、前記メモリバッファ内の前記位置を調整して、前記アクティブイメージ領域の前記位置を前記ビデオディスプレイ内で移動させる手段を備える、請求項１０に記載のシステム。
【請求項１４】
前記ビデオディスプレイは、ラスタを偏向して、前記ビデオディスプレイに前記アクティブイメージ領域を生成する偏向コイル装置を有し、前記調整するステップは、
前記偏向コイル装置に印加される信号を調整して、前記ラスタを偏向し、これにより、前記アクティブイメージの前記位置が、前記ビデオディスプレイ内で移動される手段を備える、請求項１０に記載の方法。
【請求項１５】
第１の側部と、前記第１の側部に対向する第２の側部とを有するビデオディスプレイにイメージ信号からのビデオイメージ表示する装置であって、前記ビデオイメージは、第１の側部と、前記第１の側部に対向する第２の側部とを有するアクティブイメージ領域を備え、前記アクティブイメージ領域は、前記ビデオディスプレイとは異なったアスペクト比を有する、装置であって、前記装置は、
前記ビデオディスプレイの前記第１の側部と前記アクティブイメージ領域の前記第１の側部との間の差に対応するシフトパラメータを決定するように構成されるアクティブビデオ検出器と、
前記シフトパラメータに基づいてオフセットを決定し、かつ、前記オフセットを調整するように構成されるプロセッサと、
前記プロセッサに接続されたオフセットデバイスであって、前記オフセットデバイスは、前記調整されたオフセットに応答して、前記ビデオディスプレイに表示される前記アクティブイメージ領域を処理するように構成され、表示されると、前記アクティブイメージ領域は、前記ビデオディスプレイ内の、前記ビデオディスプレイの前記第１の側部と前記第２の側部とによって決定された領域の少なくとも一部分において移動される、オフセットデバイスと
を備える、装置。
【請求項１６】
前記アクティブビデオ検出器は、前記アクティブイメージを拡大するためのズーム値を決定するようにさらに構成され、
前記シフトパラメータは、前記ズーム値に基づく、請求項１５に記載の装置。
【請求項１７】
前記プロセッサは、前記プロセッサは、前記ビデオディスプレイの前記第１の側部に対応する同期信号と、前記アクティブイメージ領域の前記第１の側部との差に応答する前記オフセットに対応する遅延期間を決定し、かつ、前記遅延期間同期信号を調整して、前記アクティブイメージを前記ビデオディスプレイ内で移動させる、請求項１５に記載の装置。
【請求項１８】
前記最後に調整されたオフセットに対応する最後の位置インジケータを格納するためのメモリをさらに備える装置であって、起動時に、前記プロセッサは、前記最後の位置インジケータに応答して、前記オフセットを前記最後に調整されたオフセットに適合させる、請求項１５に記載の装置。
【請求項１９】
前記オフセットデバイスは、前記ビデオディスプレイに対応するバッファ領域を有するメモリを備え、前記プロセッサは、前記アクティブイメージ領域が書き込まれる、前記バッファ領域内の前記位置を調整することによって、前記オフセットを調整し、これにより、前記アクティブイメージ領域を前記ビデオディスプレイ内で移動させる、請求項１５に記載の装置。
【請求項２０】
前記オフセットデバイスは、前記ビデオディスプレイに接続され、ラスタを偏向して、前記ビデオディスプレイに前記アクティブイメージ領域を生成し、前記プロセッサは、前記ラスタの前記偏向に印加される信号を改変することによって、前記オフセットを調整し、これにより、前記アクティブイメージ領域の前記位置を前記ビデオディスプレイ内で移動させる、請求項１５に記載の装置。
【請求項２１】
汎用コンピュータを制御して、第１の側部と、前記第１の側部と対向する第２の側部とを有するビデオディスプレイにイメージ信号からのビデオイメージを表示する方法を実現するように構成されたソフトウェアを備えるコンピュータ読み取り媒体であって、前記ビデオイメージは、第１の側部と、前記第１の側部に対向する第２の側部とを有するアクティブイメージ領域を備え、前記アクティブイメージ領域は、前記ビデオディスプレイとは異なったアスペクト比を有する、コンピュータ読み取り媒体であって、前記方法は、
前記ビデオディスプレイの前記第１の側部と、前記アクティブイメージ領域の前記第１の側部との差に対応するオフセットを決定するステップと、
前記オフセットを調整し、これにより、前記アクティブイメージは、前記ビデオディスプレイ内の、前記ビデオディスプレイの前記第１の側部と前記第２の側部とによって決定された領域の少なくとも一部分において移動されるステップと
を包含する、コンピュータ読み取り媒体。
【請求項２２】
前記汎用コンピュータによって実現される前記方法は、
前記ビデオディスプレイに対する前記アクティブイメージのシフトパラメータを計算するステップと、
前記アクティブイメージを拡大するためのズーム値を計算するステップとをさらに包含し、
前記決定するステップは、前記シフトパラメータと前記ズーム値とに基づいて前記オフセットを決定するステップを包含する、請求項２１に記載のコンピュータ読み取り媒体。
【請求項２３】
前記アクティブイメージ領域は、前記ビデオディスプレイに表示される前に、前記ビデオディスプレイを表すメモリバッファに書き込まれ、前記汎用コンピュータによって実現する前記調整するステップは、
前記アクティブイメージ領域が書き込まれる、前記メモリバッファ内の前記位置を調整して、前記アクティブイメージの前記位置を前記ビデオディスプレイ内で移動させるステップを包含する、請求項２１に記載のコンピュータ読み取り媒体。
【発明の詳細な説明】
【技術分野】
【０００１】
本発明は、ビデオ信号処理の分野に関し、より具体的には、アクティブイメージの不整合、および、標準的なビデオディスプレイに表示されたワイドスクリーンビデオイメージや、ワイドスクリーンビデオディスプレイに表示された標準的ビデオイメージ等の、アクティブイメージおよびビデオディスプレイのアスペクト比の不整合と関連したバーンインを低減する方法、装置、およびシステムに関する。
【背景技術】
【０００２】
（発明の背景）
現在、アスペクト比が４×３のビデオイメージ（以後「標準」イメージと呼ばれる）を表示するサイズの標準ビデオディスプレイ、および標準の４×３のアスペクト比よりも幅広いビデオイメージ（本明細書中で「ワイドスクリーン」イメージと呼ばれる）を表示するサイズのワイドスクリーンビデオディスプレイを有するテレビジョンシステムが利用可能である。現在、標準イメージおよびワイドスクリーンイメージの両方が一般に利用可能である。例えば、テレビジョン産業は、一般的に、標準アスペクト比を有するテレビ信号を送信し、動画産業は、一般的に、１６×９またはこれよりも大きいアスペクト比を有する動画を配信している。
【０００３】
あるビデオイメージの全体を、そのビデオイメージとは異なったアスペクト比を有するビデオディスプレイに表示する場合、そのビデオイメージは、ビデオディスプレイ全体を埋めない。通常、これらのイメージは、アクティブビデオイメージを包囲する非アクティブ領域（例えば、ブラックバー）を含む。イメージのアクティブおよび非アクティブ領域は、ビデオディスプレイを様々な平均強度レベルにさせる。ビデオディスプレイと同じアスペクト比を有するアクティブイメージを表示する場合、この強度レベルの差異により、ビデオディスプレイは、時間の経過とともに、他の領域との違いが目立つ領域を有するようになる。これが、バーンインとして知られる状態である。これらのビデオディスプレイでビデオイメージを見る場合に、多くの視聴者がこの状態で気を散らされ、従って、これらの視聴者が経験する視聴の楽しみが損なわれる。
【０００４】
図５Ａは、標準アクティブ領域５０２と、このアクティブ領域５０２の左側および右側の非アクティブ領域５０４とを有する標準イメージを表示するワイドスクリーンビデオディスプレイ５００を示す。標準信号アクティブ領域５０２は、アクティブディスプレイ領域５０６に表示され、非アクティブ領域５０４は、非アクティブディスプレイ領域５０８に表示される。時間の経過とともにバーンインが生じ、これは、ワイドスクリーンビデオディスプレイ５００上のアクティブディスプレイ領域５０６と非アクティブディスプレイ領域５０８との間に目立った遷移線５１０を生成する。
【０００５】
図５Ｂは、ワイドスクリーンアクティブ領域５１４の上下にアクティブ領域５１４および非アクティブ領域５１６を有するワイドスクリーンイメージを表示する標準ビデオディスプレイ５１２を示す。ワイドスクリーン信号アクティブ領域５１４は、アクティブディスプレイ領域５１８に表示され、非アクティブ領域５１６は、非アクティブディスプレイ領域５２０に表示される。時間の経過とともにバーンインが生じ、これは、標準ビデオディスプレイ５１２上のアクティブディスプレイ領域５１８と非アクティブディスプレイ領域５２０との間に目立った遷移線５２２を生成する。
【０００６】
現在、バーンインは、非アクティブ領域を除去するか、または、非アクティブ領域を黒色以外の色で溢れあせることによって回避されている。非アクティブ領域は、アクティブイメージを膨張させてビデオディスプレイ全体を埋めることによって除去される。通常、アクティブイメージは、このアクティブイメージを、必要に応じて、ある１次元方向または他の１次元方向（例えば、水平方向または垂直方向）に伸張して、ビデオディスプレイ全体を埋めるか、あるいは、アクティブイメージを、必要に応じて、２次元方向（例えば、水平方向および垂直方向）に拡大して、非アクティブ領域を除去することによって膨張させられる。アクティブ領域が２次元方向に拡大された場合、拡大されたアクティブイメージがビデオディスプレイの範囲内に入るようにトリミングする必要があり得る。従って、アクティブイメージを膨張させることによって、アクティブイメージが歪められるか、または、アクティブイメージの一部分が失われる。非アクティブ領域を黒色以外の色で溢れさせてバーンインを回避する場合、アクティブ領域と非アクティブ領域との間の差異がよりはっきりしないが、依然として、時間の経過とともに、アクティブ領域と非アクティブ領域との間に目立った遷移が発生する。
【発明の開示】
【発明が解決しようとする課題】
【０００７】
従って、バーンインの影響を低減するために、従来技術の制限を受けない方法、システム、および装置が必要とされる。
【課題を解決するための手段】
【０００８】
本発明は、あるアクティブイメージ領域を、このアクティブイメージ領域とは異なったアスペクト比を有するビデオディスプレイで表示することに伴うバーンインの影響を低減する方法、装置、およびシステムを提供する。バーンインの影響は、ビデオディスプレイに対するアクティブイメージ領域のオフセットを決定し、このオフセットを調整し、これにより、アクティブイメージ領域がビデオディスプレイの範囲内で定期的にシフトされることによって低減される。アクティブイメージ領域をビデオディスプレイの範囲内でシフトさせることによって、アクティブイメージ領域と、このアクティブイメージ領域を包囲する非アクティブ領域との間の遷移線がシフトし、その結果、これらの領域間の鋭い遷移の形成が防止される。従って、ビデオディスプレイは、鋭い遷移線を形成することなく、ビデオディスプレイ全体とは異なったアスペクト比を有するアクティブイメージ領域を表示し得、従って、バーンインによるディスプレイの見え難さに変化をもたらす。
【０００９】
本発明の例示的実施形態による方法、装置、およびシステムは、ビデオイメージのアクティブイメージ領域を、アクティブイメージ領域とは異なったアスペクト比を有するディスプレイデバイスに表示するために提供される。
【００１０】
例示的方法は、ビデオディスプレイの第１の側部とアクティブイメージ領域の第１の側部との間の差に対応するオフセットを決定するステップと、時間の経過とともに、このオフセットを調整して、アクティブイメージ領域が、ビデオディスプレイ内の、ビデオディスプレイの第１の側部と第２の側部とによって規定された領域の少なくとも一部分において移動されるステップとを包含する。これらのステップの１つ以上が汎用コンピュータを制御するソフトウェアで実現され得る。
【００１１】
例示的システムは、ビデオディスプレイの第１の面とアクティブイメージ領域の第１の面との間の際に対応するオフセットを決定し、かつ、時間の経過とともに、このオフセットを調整して、アクティブイメージ領域が、ビデオディスプレイ内の、ビデオディスプレイの第１の面および第２の面によって規定された領域の少なくとも一部分において移動される手段を備える。
【００１２】
例示的装置は、アクティブビデオ検出器とプロセッサとオフセットデバイスとを備える。アクティブビデオ検出器は、ビデオディスプレイの第１の側部と、アクティブイメージ領域の第１の側部との間の差に対応するシフトパラメータを決定するように構成される。プロセッサは、シフトパラメータに基づいてオフセットを決定し、このオフセットを調整するように構成される。オフセットデバイスは、プロセッサに接続され、かつ、調整されたオフセットに応答して、ビデオディスプレイに表示するアクティブイメージ領域を処理するように構成され、これにより、表示される場合、アクティブイメージ領域は、ビデオディスプレイ内の、ビデオディスプレイの第１の側部と第２の側部とによって規定された領域の少なくとも一部分において移動される。種々のコンポーネントの機能の１つ以上は、汎用または専用コンピュータを制御するソフトウェアで実現され得る。
【００１３】
本発明による第１の側部と、前記第１の側部に対向する第２の側部とを有するビデオディスプレイにイメージ信号からのビデオイメージを表示する方法は、前記ビデオイメージが、第１の側部と、前記第１の側部に対向する第２の側部とを有するアクティブイメージ領域を備え、前記アクティブイメージ領域は、前記ビデオディスプレイとは異なったアスペクト比を有し、前記方法は、前記ビデオディスプレイの前記第１の側部と前記アクティブイメージ領域の前記第１の側部との差に対応するオフセットを決定するステップと、前記オフセットを調整し、これにより、前記アクティブイメージは、前記ビデオディスプレイ内の、前記ビデオディスプレイの前記第１の側部と前記第２の側部とによって決定された領域の少なくとも一部分において移動されるステップとを包含し、これにより、上記目的を達成する。
【００１４】
前記方法は、前記ビデオディスプレイに対する前記アクティブイメージのシフトパラメータを計算するステップと、前記アクティブイメージを拡大するためのズーム値を計算するステップとをさらに包含し、前記決定するステップは、前記シフトパラメータと前記ズーム値とに基づいて前記オフセット値を決定してもよい。
【００１５】
前記イメージ信号が前記ビデオディスプレイによって提供される場合、前記イメージ信号は、前記ビデオディスプレイの前記第１の側部に対応する同期信号を有し、前記決定するステップは、前記同期信号と前記アクティブイメージ領域の前記第１の側部との間の遅延期間を決定するステップを包含し、前記調整するステップは、前記遅延期間を調整するステップを包含してもよい。
【００１６】
前記オフセットが調整され、これにより、前記アクティブイメージ領域は、前記ビデオディスプレイ内の複数の異なった相対領域に表示されてもよい。
【００１７】
前記オフセットが調整され、これにより、それぞれ、前記アクティブイメージ領域が前記ビデオディスプレイの前記第１の側部に向かって移動する場合、前記アクティブイメージ領域は、前記アクティブ領域の前記第１の側部が前記ビデオディスプレイの前記第１の側部に対応するまで、前記ビデオディスプレイの前記第１の側部に向かって移動され、前記アクティブイメージ領域が前記ビデオディスプレイの前記第２の側部に向かって移動する場合、前記アクティブイメージ領域は、前記アクティブイメージ領域の前記第２の側部が前記ビデオディスプレイの前記第２の側部に対応するまで、前記ビデオディスプレイの前記第２の側部に向かって移動され、前記アクティブイメージ領域が前記ビデオディスプレイの前記第１および第２の側部の１つに達した場合、前記アクティブイメージ領域は、前記ビデオディスプレイの前記第１および第２の側部に向かって移動されてもよい。
【００１８】
前記オフセットは所定のレートで調整され、前記所定のレートは、人間の目が前記アクティブイメージ領域の移動を検出しないように選択されてもよい。
【００１９】
前記ビデオディスプレイは、前記ビデオディスプレイの前記第１の側部と並行する複数のピクセルロウを備え、前記遅延期間は、所定のレートで調整され、前記所定のレートは、毎分２ピクセルロウよりも小さくてもよい。
【００２０】
前記アクティブイメージ領域は、前記ビデオディスプレイに表示される前に、前記ビデオディスプレイを表すメモリバッファに書き込まれ、前記調整するステップは、前記アクティブイメージ領域が書き込まれる、前記メモリバッファ内の前記位置を調整して、前記アクティブイメージの前記位置を前記ビデオディスプレイ内で移動させるステップを包含してもよい。
【００２１】
前記ビデオディスプレイは、ラスタを偏向して、前記ビデオディスプレイに前記アクティブイメージ領域を生成する偏向コイル装置を有し、前記調整するステップは、前記偏向コイル装置に印加される信号を調整して、ラスタを変更し、これにより、前記アクティブイメージの前記位置が前記ビデオディスプレイ内で印加されるステップを包含してもよい。
【００２２】
本発明による第１の側部と、前記第１の側部に対向する第２の側部とを有するビデオディスプレイにイメージ信号からのビデオイメージ表示するシステムであって、前記ビデオイメージは、第１の側部と、前記第１の側部に対向する第２の側部とを有するアクティブイメージ領域を備え、前記アクティブイメージ領域は、前記ビデオディスプレイとは異なったアスペクト比を有する、システムであって、前記システムは、前記ビデオディスプレイの前記第１の側部と前記アクティブイメージ領域の前記第１の側部との差に対応するオフセットを決定する手段と、前記オフセットを調整し、これにより、前記アクティブイメージは、前記ビデオディスプレイ内の、前記ビデオディスプレイの前記第１の側部と前記第２の側部とによって決定された領域の少なくとも一部分において移動される手段とを備え、これにより、上記目的を達成する。
【００２３】
前記ビデオディスプレイに対する前記アクティブイメージのシフトパラメータを計算する手段と、前記アクティブイメージを拡大するためのズーム値を決定する手段とをさらに備えるシステムであって、前記オフセットを決定する手段は、前記シフトパラメータと前記ズーム値とに基づいて前記オフセット値を決定してもよい。
【００２４】
最後に調整されたオフセットに対応する最後の位置インジケータを格納する手段をさらに備え、起動時に、前記オフセットが前記最後に調整されたオフセットにセットされてもよい。
【００２５】
前記アクティブイメージ領域は、前記ビデオディスプレイに表示される前に、前記ビデオディスプレイを表すメモリバッファに書き込まれ、前記調整する手段は、前記アクティブイメージが書き込まれる、前記メモリバッファ内の前記位置を調整して、前記アクティブイメージ領域の前記位置を前記ビデオディスプレイ内で移動させる手段を備えてもよい。
【００２６】
前記ビデオディスプレイは、ラスタを偏向して、前記ビデオディスプレイに前記アクティブイメージ領域を生成する偏向コイル装置を有し、前記調整するステップは、前記偏向コイル装置に印加される信号を調整して、前記ラスタを偏向し、これにより、前記アクティブイメージの前記位置が、前記ビデオディスプレイ内で移動される手段を備えてもよい。
【００２７】
本発明による第１の側部と、前記第１の側部に対向する第２の側部とを有するビデオディスプレイにイメージ信号からのビデオイメージ表示する装置であって、前記ビデオイメージは、第１の側部と、前記第１の側部に対向する第２の側部とを有するアクティブイメージ領域を備え、前記アクティブイメージ領域は、前記ビデオディスプレイとは異なったアスペクト比を有し、前記ビデオディスプレイの前記第１の側部と前記アクティブイメージ領域の前記第１の側部との間の差に対応するシフトパラメータを決定するように構成されるアクティブビデオ検出器と、前記シフトパラメータに基づいてオフセットを決定し、かつ、前記オフセットを調整するように構成されるプロセッサと、前記プロセッサに接続されたオフセットデバイスであって、前記オフセットデバイスは、前記調整されたオフセットに応答して、前記ビデオディスプレイに表示される前記アクティブイメージ領域を処理するように構成され、表示されると、前記アクティブイメージ領域は、前記ビデオディスプレイ内の、前記ビデオディスプレイの前記第１の側部と前記第２の側部とによって決定された領域の少なくとも一部分において移動される、オフセットデバイスとを備え、これにより、上記目的を達成する。
【００２８】
前記アクティブビデオ検出器は、前記アクティブイメージを拡大するためのズーム値を決定するようにさらに構成され、前記シフトパラメータは、前記ズーム値に基づいてもよい。
【００２９】
前記プロセッサは、前記プロセッサは、前記ビデオディスプレイの前記第１の側部に対応する同期信号と、前記アクティブイメージ領域の前記第１の側部との差に応答する前記オフセットに対応する遅延期間を決定し、かつ、前記遅延期間同期信号を調整して、前記アクティブイメージを前記ビデオディスプレイ内で移動させてもよい。
【００３０】
前記最後に調整されたオフセットに対応する最後の位置インジケータを格納するためのメモリをさらに備える装置であって、起動時に、前記プロセッサは、前記最後の位置インジケータに応答して、前記オフセットを前記最後に調整されたオフセットに適合させてもよい。
【００３１】
前記オフセットデバイスは、前記ビデオディスプレイに対応するバッファ領域を有するメモリを備え、前記プロセッサは、前記アクティブイメージ領域が書き込まれる、前記バッファ領域内の前記位置を調整することによって、前記オフセットを調整し、これにより、前記アクティブイメージ領域を前記ビデオディスプレイ内で移動させてもよい。
【００３２】
前記オフセットデバイスは、前記ビデオディスプレイに接続され、ラスタを偏向して、前記ビデオディスプレイに前記アクティブイメージ領域を生成し、前記プロセッサは、前記ラスタの前記偏向に印加される信号を改変することによって、前記オフセットを調整し、これにより、前記アクティブイメージ領域の前記位置を前記ビデオディスプレイ内で移動させてもよい。
本発明による汎用コンピュータを制御して、第１の側部と、前記第１の側部と対向する第２の側部とを有するビデオディスプレイにイメージ信号からのビデオイメージを表示する方法を実現するように構成されたソフトウェアを備えるコンピュータ読み取り媒体であって、前記ビデオイメージは、第１の側部と、前記第１の側部に対向する第２の側部とを有するアクティブイメージ領域を備え、前記アクティブイメージ領域は、前記ビデオディスプレイとは異なったアスペクト比を有する、コンピュータ読み取り媒体であって、前記方法は、前記ビデオディスプレイの前記第１の側部と、前記アクティブイメージ領域の前記第１の側部との差に対応するオフセットを決定するステップと、前記オフセットを調整し、これにより、前記アクティブイメージは、前記ビデオディスプレイ内の、前記ビデオディスプレイの前記第１の側部と前記第２の側部とによって決定された領域の少なくとも一部分において移動されるステップとを包含し、これにより、上記目的を達成する。  
【００３３】
前記汎用コンピュータによって実現される前記方法は、前記ビデオディスプレイに対する前記アクティブイメージのシフトパラメータを計算するステップと、前記アクティブイメージを拡大するためのズーム値を計算するステップとをさらに包含し、前記決定するステップは、前記シフトパラメータと前記ズーム値とに基づいて前記オフセットを決定するステップを包含してもよい。
【００３４】
前記アクティブイメージ領域は、前記ビデオディスプレイに表示される前に、前記ビデオディスプレイを表すメモリバッファに書き込まれ、前記汎用コンピュータによって実現する前記調整するステップは、前記アクティブイメージ領域が書き込まれる、前記メモリバッファ内の前記位置を調整して、前記アクティブイメージの前記位置を前記ビデオディスプレイ内で移動させるステップを包含してもよい。
【発明を実施するための最良の形態】
【００３５】
本発明は、以下の詳細な説明が添付の図面と共に読まれた場合に最もよく理解される。図面において、同じ要素は同じ参照符号を有する。慣例により図面の種々の特徴が縮尺どおり描かれないことが強調される。それどころか、明瞭にするために、種々の特徴の寸法は、任意に拡大または縮小される。
【００３６】
図１は、ビデオイメージのアクティブイメージをビデオディスプレイ１０２内で移動させて、アクティブイメージとは異なったアスペクト比を有するビデオディスプレイにアクティブイメージを表示することに伴うバーンインの影響を低減する例示的ビデオ装置を示す。このアクティブイメージは、可視の細部を含むビデオイメージの領域を表す。例えば、４×３の標準ビデオディスプレイに全体を表示するための１６×９のワイドスクリーンアクティブイメージを搬送する標準ビデオ信号は、ワイドスクリーンアクティブイメージの上下に、例えば、ブラックバー等の非アクティブ領域を備える。同様に、１６×９のワイドスクリーンビデオディスプレイに全体を表示するための４×３の標準アクティブイメージを搬送するワイドスクリーンビデオ信号は、標準アクティブイメージの左右に非アクティブ領域を備える。さらに、標準（ワイドスクリーン）ビデオ信号は、上下（左右）に非アクティブイメージを有するワイドスクリーン（標準）アクティブイメージを備え得、これにより、ワイドスクリーン（標準）ビデオディスプレイに表示された場合、アクティブイメージのすべての側部に非アクティブ領域ができる。従って、アクティブイメージと、目的のビデオディスプレイとの間のアスペクト比が不整合であるために、ビデオ信号によって搬送される全ビデオイメージは、アクティブイメージと、そのアクティブイメージの上下および／または左右に表示される非アクティブイメージとを備える。
【００３７】
ビデオディスプレイ１０２は、イメージを表示する表示デバイスである。このディスプレイデバイス１０２は、水平寸法と垂直寸法とを有する。ある例示的実施形態では、ディスプレイデバイス１０２は、標準、すなわち、４×３のアスペクト比か、または、ワイドスクリーンアスペクト比、すなわち、１６×９等の４×３よりも大きいアスペクト比を有する。４×３のアスペクト比のビデオディスプレイ１０２は、４ユニットの水平幅ごとに３ユニットの垂直高を有し、１６×９のアスペクト比のビデオディスプレイ１０２は、１６ユニットの水平幅ごとに９ユニットの垂直高を有する。ある例示的実施形態では、ビデオディスプレイ１０２は、例えば、陰極線管（ＣＲＴ）、プラズマ、ＬＣＤ、または投影型ビデオディスプレイであり得る。
【００３８】
ビデオ信号は、ビデオ装置１００に印加される。ある例示的実施形態では、ビデオ信号は、ディスプレイデバイス１０２に表示することが意図されたアクティブおよび非アクティブイメージを備えるビデオイメージを搬送するコンポジットビデオ信号である。
【００３９】
ある例示的実施形態では、ビデオ信号は、ワイドスクリーンビデオディスプレイの中央に表示される標準アクティブイメージ領域と、標準アクティブイメージの左右に表示される非アクティブ領域とを備える。この実施形態によると、標準アクティブイメージの左右の非アクティブ領域は、標準アクティブイメージをワイドスクリーンビデオディスプレイの左側のエッジに対して効果的にオフセットさせる。これに代わる例示的実施形態では、ビデオ信号は、標準ビデオディスプレイの中央に表示されるワイドスクリーンアクティブイメージ領域と、ワイドスクリーンアクティブイメージの上下に表示される非アクティブ領域とを備える。この実施形態によると、ワイドスクリーンアクティブイメージの上部に表示される非アクティブ領域は、ワイドスクリーンアクティブイメージを標準ビデオディスプレイの上部に対して効果的にオフセットさせる。
【００４０】
アクティブビデオ検出器１０４は、オフセットを決定する際にビデオプロセッサで用いる、ビデオ信号のフォーマットと、ビデオ信号の中のアクティブイメージの境界パラメータとを検出する。これに加えて、さらに詳細に後述されるように、アクティブビデオ検出器１０４は、アクティブイメージを拡大して、目的のビデオディスプレイを、例えば、水平方向または垂直方向といった、少なくとも１つの次元に沿って埋めるためのズーム値を決定し得る。当業者は、本明細書の記載から適切なアクティブビデオ検出器１０４を製作する方法を理解する。
【００４１】
図２は、アクティブビデオ検出器１０４（図１）によって実行される例示的ステップのフローチャート２００を示す。ブロック２０２で、アクティブビデオ検出器は、ビデオ信号のビデオフォーマットを検出する。例えば、アクティブビデオ検出器は、ビデオ信号が標準の４×３のアスペクト比のビデオイメージ信号であるか、または、ワイドスクリーン１６×９のアスペクト比のビデオイメージ信号であるかを検出し得る。アクティブビデオ検出器は、公知の態様で、ビデオ信号にエンコードされたデータから、ビデオイメージ信号のアスペクト比を決定し得る。
【００４２】
ブロック２０４で、アクティブビデオ検出器は、ビデオイメージ信号の中のアクティブイメージの境界を検出する。例示的実施形態では、アクティブビデオ検出器は、フレームとフレームとを比較することによってビデオ信号の中のアクティブイメージの境界を検出し、フレームからフレームの所定の閾値内の全ラインまたはカラム等のビデオ信号の中の非アクティブ領域を見つけ出す。これに代わる例示的実施形態では、アクティブビデオ検出器１０４は、アクティブビデオインターバルの全体のラインおよび／またはカラムにまたがって黒色の所定の閾値レベル（例えば、１０ＩＲＥ）内であるピクセル値を有する黒色ラインおよび／またはカラムを検出することによって非アクティブ領域を検出する。アクティブビデオ検出器は、次に、検出した非アクティブ領域をビデオ信号から引くことによってアクティブイメージの境界を決定する。このようにして、アクティブビデオ検出器１０４は、アクティブイメージの境界を規定する１つ以上のパラメータを識別することができる。これらのパラメータは、非限定的な例として、ビデオ信号の中の全ビデオイメージの上の隅からアクティブイメージの１つ以上の隅への水平距離と、ビデオ信号の中の全ビデオイメージの上の隅からアクティブイメージの１つ以上の隅への垂直距離とを備え得る。パラメータは、ピクセル、ライン、カラム、または他の測定値で特定され得る。例示的実施形態では、アクティブイメージを包囲する、テキストを含むボーダ等、場合によっては著作権保護される素材は、アクティブイメージの部分であると考えられ得る。これらの領域は、イメージおよび／またはテキストがラインおよび／またはカラムよって規定された領域内にあるために、ラインおよび／またはカラムの長さに沿って色（例えば、非ブラック）または色の相違を検出することによって決定され得る。
【００４３】
ブロック２０６で、アクティブビデオ検出器は、ビデオ信号のアクティブイメージに与えられた場合、アクティブイメージが少なくとも１つの次元に沿ってビデオディスプレイ１０２を埋めるようにするズーム値を計算する。ある例示的実施形態では、アクティブビデオ検出器１０４は、例えば、ユーザによって従来のユーザインターフェース（図示せず）を介して、ビデオディスプレイのアスペクト比で予めプログラムされるか、または、例えば、公知のＤＶＩ（ｄｉｇｉｔａｌ  ｖｉｓｕａｌ  ｉｎｔｅｒｆａｃｅ）を介してビデオディスプレイそれ自体からアスペクト比を検出する。アクティブビデオ検出器１０４は、次に、目的のビデオディスプレイのアスペクト比、およびブロック２０４で決定された境界パラメータから、公知の態様でズームパラメータを計算し得る。ワイドスクリーンビデオイメージとして伝送するために、標準アクティブイメージの両側部に非アクティブバーが付与され、ワイドスクリーンビデオイメージを標準ビデオディスプレイで表示することが意図される場合、目的の標準ビデオディスプレイは、ワイドスクリーンビデオイメージの上部および下部に非アクティブバーを表示し得る。従って、標準アクティブイメージは、全側部が非アクティブ領域で包囲される。ある例示的実施形態では、アクティブビデオ検出器は、ズーム値を計算してアクティブイメージを拡大し、これにより、アクティブイメージが目的のディスプレイに表示された場合、非アクティブ領域は、少なくとも１つの軸上で見えなくなる一方で、その軸と直交する軸に沿う全アクティブイメージを保持する。例えば、アクティブイメージが２０パーセント拡大されて、目的のビデオディスプレイを垂直方向に埋めることが必要である場合、および、３０パーセント拡大されて目的のディスプレイを水平方向に埋めることが必要である場合、２０パーセントの拡大をもたらすズーム値が計算され、これにより、アクティブイメージは、垂直方向に「トリミング（ｃｒｏｐｐｅｄ）」されない。これに代わる例示的実施形態では、イメージは拡大されず、ブロック２０６の例示的ステップは省略され得る。
【００４４】
ブロック２０８で、アクティブビデオ検出器は、目的のディスプレイデバイス内でアクティブイメージをシフトさせるためのシフトパラメータを計算する。アクティブビデオ検出器は、ビデオディスプレイのアスペクト比と、アクティブイメージの境界パラメータと、そして、アクティブイメージが拡大されるべき場合は、ブロック２０６で計算されたズーム値とに基づいて、目的のビデオディスプレイ内でアクティブイメージをシフトさせるためのシフトパラメータを計算する。シフトパラメータは、ビデオ信号内のアクティブイメージの位置と、アクティブイメージがシフトされ得る量とを特定し、これにより、このアクティブイメージがある方向または別の方向に完全にシフトされた場合は「トリミング」されない。例えば、標準ビデオディスプレイに表示される、標準ビデオイメージ信号の中のワイドスクリーンアクティブイメージを想定されたい。ワイドスクリーンアクティブイメージは、拡大される必要がない。なぜなら、ワイドスクリーンアクティブイメージは、ワイドスクリーンアクティブイメージの上下の水平の非アクティブイメージビデオディスプレイの画面全体を水平方向に埋めるからである。この場合、シフトパラメータは、全ビデオ信号の左上の隅からアクティブイメージの左上の隅への水平方向の距離であり得る。アクティブイメージが、目的のビデオディスプレイをある次元に沿って埋めるために拡大される必要がある場合、当業者によって理解される態様で計算が適切に行われる得、これにより、アクティブイメージは、「トリミング」なしに完全にシフトされ得る。
【００４５】
ブロック２１０で、シフトパラメータと、存在する場合はズーム値とがビデオプロセッサ１０６（図１）に提供される。
【００４６】
図１を再び参照して、ビデオプロセッサ１０６は、目的のディスプレイデバイスの基準点に対するアクティブイメージのオフセットを決定し、オフセットを調整して、ビデオディスプレイ１０２内でアクティブイメージを移動させる。ある例示的実施形態では、ビデオプロセッサ１０６は、シフトパラメータを受け取り、選択的に、アクティブビデオ検出器１０４からズーム値を受け取る。シフトパラメータは、アクティブイメージを目的のビデオディスプレイの中央に置くためのアクティブイメージの現在のオフセットと、このオフセットが調整されて、アクティブイメージの一部分を「トリミング」することなく、目的のビデオディスプレイ上でアクティブイメージをシフトさせ得る最大量とを表す。ズーム値は、アクティブイメージが１つの次元に沿って、例えば、水平方向または垂直方向にビデオディスプレイ全体を埋めるために、ビデオプロセッサ１０６がアクティブイメージをどれだけ拡大すべきかを表す。プロセッサは、アクティブイメージを拡大し、アクティブイメージをオフセットするＵＦＣ（ｕｎｉｖｅｒｓａｌ  ｆｏｒｍａｔ  ｃｏｎｖｅｒｔｅｒ）を備え得る。本発明で使用するための、当業者によって簡単に改変可能な公知のＵＦＣ３０４は、本発明と同じ譲受人を有する、Ｈａｕらによる「Ｆｌｅｘｉｂｌｅ  Ｐａｒａｌｌｅｌ  Ｐｒｏｃｅｓｓｉｎｇ  Ａｒｃｈｉｔｅｃｔｕｒｅ  ｆｏｒ  Ｖｉｄｅｏ  Ｒｅｓｉｚｉｎｇ」と称される米国特許第５，５８７，７４２号に記載される。
【００４７】
デジタルシステムでは、基準点は、ビデオディスプレイ１０２の物理的エッジのアドレス位置か、または、ビデオディスプレイのそれぞれのエッジに対応するメモリバッファであり得る。アナログシステムでは、基準点は、ビデオディスプレイの左エッジに対応する水平同期信号か、または、ビデオディスプレイの上部エッジに対応する垂直同期信号等の同期信号であり得る。水平および／または垂直オーバースキャンを有するシステムの場合、プロセッサ１０６は、それに応じて補償する。
【００４８】
オフセットを決定した後、プロセッサ１０６は、決定されたオフセットを調整して、ビデオディスプレイ内でアクティブイメージを移動させ、時間の経過とともに、ビデオディスプレイ１０２に表示されるアクティブイメージと非アクティブイメージとの間の遷移線の位置を変更する。一般に、例示的実施形態では、プロセッサ１０６は、オフセットを調整し、これにより、アクティブイメージは、アクティブイメージのラインまたはカラムを失うことなく、ビデオディスプレイ全体を通して最大オフセットまで移動させる。アクティブイメージをオフセットして、ビデオディスプレイ１０２内でアクティブイメージをシフトさせる特定の実施形態は、図３Ａおよび図３Ｂを参照して後述される。
【００４９】
例示的実施形態で、プロセッサ１０６は、オフセットを調整し、これにより、アクティブイメージは、ビデオディスプレイ１０２内で所定または擬似ランダムの態様で移動し、これにより、アクティブイメージを表示するためにビデオディスプレイ１０２全体が利用される。ある例示的実施形態では、プロセッサはオフセットを調整し、これにより、アクティブイメージは、ビデオディスプレイ１０２内の複数の異なった相対領域で表示される。例えば、３つの異なった相対領域が用いられ、例えば、中央に置かれて、一方の側部に完全にシフトされ、かつ、この第１の側部に対向するもう一方の側部に完全にシフトされる。３つの異なった相対領域の１つは、その後、ディスプレイ装置１００がパワーオフされるたびに、または、例えば、２０分ごと等の所定の時間間隔で連続的に選択され得る。
【００５０】
これに代わる例示的実施形態では、アクティブイメージは、実質的に連続的に左右にゆっくりと移動される。ある例示的実施形態では、プロセッサ１０６は、オフセットを調整し、ビデオディスプレイ１０２内の中央に置かれたアクティブイメージをビデオディスプレイの一方の側部（例えば、上部または左）に、ビデオディスプレイのもう一方の側部（例えば、下部または右）にシフトさせ、ビデオディスプレイの中央に戻し、そして、アクティブイメージを表示する間、この動きを繰り返す。特定の例示的実施形態では、アクティブイメージがビデオディスプレイ１０２の一方の側部に向かって移動している場合、アクティブイメージは、それが、ビデオディスプレイ１０２のエッジに達するまでその側部に向かって移動し；アクティブイメージが、ビデオディスプレイ１０２の別の側部に向かって移動する場合、アクティブイメージは、それが、ビデオディスプレイ１０２のその側部に達するまでビデオディスプレイのその側部に向かって移動し、そして、アクティブイメージがビデオディスプレイ１０２のエッジの１つに達した場合、そのアクティブイメージは、ビデオディスプレイ１０２の別のエッジに向かって移動する。特定の他の例示的実施形態では、アクティブイメージは、ビデオディスプレイの第１の側部によって規定された領域の少なくとも一部分とビデオディスプレイの第２の側部との間で移動される。
【００５１】
メモリ１０８は、ビデオプロセッサ１０６の情報を格納する。ある例示的実施形態では、メモリ１０８は、ビデオディスプレイ１０２内のアクティブイメージの最後に調整されたオフセットを格納する。この実施形態によると、ビデオ装置１００がパワーオフされるたびに、ビデオプロセッサ１０６は、現在のオフセットをメモリ１０８に格納する。ビデオ装置１００がパワーオンに戻された場合、ビデオプロセッサ１０６は、格納されたオフセットをメモリ１０８から取り出し、そして、ビデオディスプレイ１０２に、ビデオ装置１００がパワーオフされた場合と実質的に同じ位置でアクティブイメージを表示させる。従って、１サイクルの間にビデオ装置１００がパワーオフされた場合、ビデオ装置１００がパワーオンに戻されると、このサイクルは、これがオフにされたところで再び始められる。従って、ビデオ装置１００がオンである場合、１サイクルの完了は、数回の周期の間に達成され得る。
【００５２】
図３Ａは、アクティブイメージを陰極線管（ＣＲＴ）３００等のビデオディスプレイ１０２に表示するためのビデオプロセッサ１０６の例示的実施形態を示す。図３Ａに示されるイメージプロセッサ１０６は、ＮＴＳＣ（Ｎｔａｉｏｎａｌ  Ｔｅｌｅｖｉｓｉｏｎ  Ｓｙｓｔｅｍ  Ｃｏｍｍｉｔｔｅｅ）デコーダ３０２とプロセッサ３０４とを備える。ＮＴＳＣデコーダ３０２は、ビデオ信号を、例えば、ルミナンス（Ｙ）、同相成分クロミナンス（Ｉ）、および直交成分クロミナンス（Ｑ）等のルミナンス成分およびクロミナンス成分に分離する。本発明で用いるために適切なＮＴＳＣデコーダは、ビデオ信号処理分野の当業者に容易に明らかになる。
【００５３】
アクティブビデオデコーダ１０４および示されたプロセッサ３０４は、ＮＴＳＣデコーダ３０２からルミナンス成分およびクロミナンス成分を受け取る。プロセッサ３０４は、アクティブビデオデコーダ１０４によって計算された境界パラメータに基づいて、アクティブイメージのオフセットを決定する。決定されたオフセットは、アクティブイメージの第１の側部とビデオディスプレイの対応する側部との間の差に対応する。プロセッサ３０４は、次に、オフセットを調整して、ビデオディスプレイ１０２内でアクティブイメージを移動させる。選択的に、プロセッサ３０４は、目的のビデオディスプレイ１０２に表示するアクティブイメージを拡大し得る。
【００５４】
さらに、プロセッサ２０４は、ルミナンス成分とクロミナンス成分とをビデオディスプレイに表示することができる、例えば、赤色（Ｒ）、緑色（Ｇ）、青色（Ｂ）成分信号等の信号に変換する。ビデオディスプレイ１０２は、ＲＧＢ成分信号を受け取り、そして、プロセッサ２０４によってオフセット、および、選択的に、拡大されると、ビデオディスプレイ１０２内にアクティブイメージを生成する。
【００５５】
図３Ｂは、ＣＲＴ３００等のビデオディスプレイ１０２にアクティブイメージを表示するためのイメージプロセッサ１０６の代替的例示的実施形態を示す。図３に示されるビデオプロセッサ１０８は、ＮＴＳＣデコーダ３０２とマトリクス３０８とプロセッサ３１０と偏向装置３１２とを備える。ＮＴＳＣデコーダ３０２は、コンポジットビデオ信号を、例えば、ルミナンス（Ｙ）、同相成分クロミナンス（Ｉ）、および直交成分クロミナンス（Ｑ）等の成分とクロミナンス成分とに分離する。マトリクス３０８は、ＮＴＳＣデコーダ３０２によって生成されたルミナンス成分およびクロミナンス成分を、ビデオディスプレイ１０２で表示するために赤色（Ｒ）、緑色（Ｇ）、青色（Ｂ）信号に変換する。
【００５６】
プロセッサ３１０は、オフセットデバイスとして機能し、境界パラメータと、選択的に、アクティブビデオデコーダ１０４からのズームパラメータとに基づいて、ＣＲＴ３００の偏向ヨークに印加された信号を改変する偏向装置３１２を制御する。プロセッサは、ＣＲＴ３００のそれぞれの側に対応する適切な同期信号に対して遅延期間（すなわち、アナログシステムのオフセット）を決定する。偏向装置３１２は、偏向ヨークに印加された信号を改変することによって、遅延期間を調整し、これにより、マトリクス３０６からのＲＧＢ成分信号がＣＲＴ３００に表示された場合、アクティブイメージがビデオディスプレイ１０２内で移動される。示されるプロセッサ３１０は、ＮＴＳＣデコーダ３０２からビデオ信号を受け取る。
【００５７】
示される偏向装置３１２は、偏向ドライバ３１４と偏向コイルアセンブリ３１６とを備える。ビデオディスプレイ１０２内でアクティブイメージを移動させるために、プロセッサ３１０は、偏向ドライバ３１４を制御するための偏向信号を生成し、その結果、このドライバは、偏向コイルアセンブリ３１６を制御する。偏向ドライバ３１４は、偏向信号に基づいて偏向コイルアセンブリ３１６にエネルギー供給し、ＣＲＴ３００の偏向を改変する。この代替的実施形態によってもたらされた結果は、ビデオディスプレイ１０２のエッジに対してアクティブイメージをオフセットする偏向装置３１２に関して図３Ａを参照してすでに記載された実施形態によってもたらされたものと同様である。
【００５８】
例示的実施形態では、ワイドスクリーンビデオディスプレイに表示することが意図される標準イメージをシフトさせるために、ノコギリ波として表される「理想的な」水平走査信号を想定されたい。ノコギリ歯状波の各ノコギリ歯に対して、立ち上がり部分は、ビデオディスプレイ１０２に沿う水平トレースを表し、立ち下がり部分は、次のトレースのためのラスタに位置付ける平帰線を表す。従って、水平走査信号の電圧レベルは、ビデオディスプレイ上のラスタの位置を表す。水平走査信号電圧が０〜１の範囲であり、０ボルトがビデオディスプレイの左側に対応し、１ボルトがビデオディスプレイの右側に対応するようにビデオディスプレイが構成された場合、アクティブイメージは、ビデオディスプレイ内の中央位置に表示される。アクティブイメージの位置を調整するために、オフセット電圧が、水平走査信号に加えられ得る。例えば、アクティブイメージを左にシフトさせるために、−０．２ボルト等のオフセット電圧が水平走査信号に加えられ得、これにより、ラスタがＣＲＴ３００の左側の左の位置とＣＲＴ３００の右側の左の位置との間をトレースし、これにより、アクティブイメージを左にシフトさせる。同様に、アクティブイメージを右にシフトさせるために、０．２ボルト等のオフセット電圧が水平走査信号に加えられ得、これにより、ラスタは、ＣＲＴ３００の左側の右の位置とＣＲＴ３００の右側の右の位置との間をトレースし、これにより、アクティブイメージを右にシフトさせる。従って、ＣＲＴ３００内のビデオイメージ（すなわち、アクティブイメージ）の位置は、オフセット電圧を上下させることによって左または右にそれぞれシフトされ、これにより、アクティブイメージの位置が同期信号に対して効果的に遅延される。例示的実施形態では、ビデオイメージ（従って、アクティブイメージ）をＣＲＴ３００内で上下にシフトさせることは、垂直走査信号を用いて同様の態様で達成される。
【００５９】
図１、図３Ａおよび図３Ｂを参照してすでに記載された本発明の例示的使用が、ここで、図４Ａ〜図４Ｄを参照して説明される。
【００６０】
図４Ａは、標準アクティブイメージ領域４０２と左の非アクティブ領域４０４と右の非アクティブ領域４０６とを表示するワイドスクリーンビデオディスプレイ４００を示す。標準アクティブ領域４０２は、アクティブディスプレイ領域４０８に表示され、左の非アクティブ領域４０４は、左の非アクティブディスプレイ領域４１０に表示され、右の非アクティブ領域４０６は、右の非アクティブディスプレイ領域４１２に表示される。バーンインを防止するために、標準アクティブイメージ領域４０２は、ワイドスクリーンビデオディスプレイ４００内でシフトされる。
【００６１】
ある例示的実施形態では、標準アクティブイメージ４０２は、ワイドスクリーンビデオディスプレイ４００内で水平軸Ａｈに沿って右から左にシフトされる。標準アクティブイメージ４０２がワイドスクリーンビデオディスプレイ４００内で左にシフトされた場合、左の非アクティブディスプレイ領域４１０が小さくなり、右の非アクティブディスプレイ領域４１２が大きくなる。図４Ｂに示されるように、同様に、標準アクティブイメージ４０２がワイドスクリーンビデオディスプレイ４００内で右にシフトされた場合、左の非アクティブディスプレイ領域４１０が大きくなり、右の非アクティブディスプレイ領域４１２が小さくなる。特定の例示的実施形態では、標準アクティブイメージ４０２は、右（左）に完全にシフトされ、右（左）の非アクティブディスプレイ領域４１２（４１０）は、存在せず、右（左）の非アクティブディスプレイ領域４１２（４１０）の領域は、図４Ｃに示されるように最大化される。
【００６２】
ある例示的実施形態により、ＳＭＰＴＥ２７４Ｍ（テレビエレクトロニクス分野の当業者に周知のハイデフィニションテレビ標準規格）に従う、例えば、１６：９のアスペクト比のビデオディスプレイ等の従来のワイドスクリーンビデオディスプレイ４００を想定されたい。この実施形態によると、ビデオディスプレイ４００は、１０８０個のアクティブ水平ラインを有し、ラインごとに１９２０個のサンプルがある。あるサンプルが方形ピクセルとして示される場合、各サンプルの位置は、起点４１６（図４Ａを参照）に対する直交座標系（Ｃａｒｔｅｓｉａｎ  ｃｏｏｒｄｉｎａｔｅ  ｓｙｓｔｅｍ）４１４の水平（ｘ）軸および水平（ｙ）軸に沿うオフセットとして規定され得る。この座標系４１４におけるディスプレイ４００の原寸は、垂直（ｙ）軸に沿って１ｙ〜１０８０ｙ、水平（ｘ）軸に沿って１ｘ〜１９２０ｘである。例示の目的で、すべてのアクティブライン、および各ライン上のピクセルは可視であること、そして、ディスプレイデバイス４００の起点が、ワイドスクリーンビデオディスプレイ４００の左上の隅に配置されると想定される。
【００６３】
この例示的実施形態によると、標準アクティブイメージ４０２がワイドスクリーンビデオディスプレイ４００の中央にマッピングされた場合、垂直方向に１ｙ〜１０８０ｙ、および、水平方向に、約２３９ｘ〜１６８０ｘと規定された実効面積を占める。サイクルが標準アクティブイメージ４０２の、ワイドスクリーンビデオディスプレイ４００の中央の開始位置から左端（または右端）、右端（または左端）、そして、開始位置に戻る動きであると定義された場合、標準アクティブイメージ４０２は、各Δｔ時間につき１つのピクセルカラムのレートでシフトされ、従って、各カラムｘにおけるピクセルのアクティブ時間の量が表１に示される。
【００６４】
【表１】
2005218087.tif 000003
例示的実施形態で、Δｔは、人間の目が、例えば、毎分約２ピクセルカラムよりもゆっくりのイメージ４０２の移動を検出できないように選択される。このシナリオでは、毎分トｔの１ピクセルカラムに対して、 １５時間と５９分見るごとに１つの完成したサイクルが完了し、すなわち、左側と右側のカラムピクセル、例えば、カラム１ｘと１９２０ｘは、１５時間５９分ごとから１分間の間にアクティブになり、例えば、カラム４８１ｘ〜１４４０ｘ等の中央領域は、常時アクティブである。ピクセルのカラムごとのアクティブ時間の量は、常時オンの中央領域から外側エッジに向かって漸進的に減少する。この実施例では、減少は線形である。従って、このシナリオは、漸進的なバーンインをもたらし、これにより、バーンインは、ビデオディスプレイの中央でより目立ち、ビデオディスプレイのエッジに向かって漸進的に減少し、急激または明確な遷移がなく、従って、バーンインの影響を低減する。
【００６５】
図４Ｄは、ワイドスクリーンアクティブイメージ領域４２２と上部非アクティブ領域４２４と下部非アクティブ領域４２６とを表示する標準ビデオディスプレイ４２０を示す。ワイドスクリーンアクティブイメージ領域４２２は、アクティブディスプレイ領域４２８に表示され、上部非アクティブ領域４２４は、上部非アクティブディスプレイ領域４３０に表示され、下部非アクティブ領域４２６は、下部非アクティブディスプレイ領域４３２に表示される。バーンインを防止するために、ワイドスクリーンアクティブイメージ領域４２２は、標準ビデオディスプレイ４２０内でシフトされる。
【００６６】
例示的実施形態では、ワイドスクリーンアクティブイメージ４２２は、垂直軸Ａｖに沿って標準ビデオディスプレイ４２０内で上部から下部にシフトされる。ワイドスクリーンアクティブイメージ４２２が標準ビデオディスプレイ４２０内で上部にシフトされる場合、非アクティブディスプレイ領域４３０が小さくなり、下部非アクティブディスプレイ領域４３２は大きくなる。同様に、ワイドスクリーンアクティブイメージ４２２が標準ビデオディスプレイ４２０内で下部にシフトされる場合、上部非アクティブディスプレイ領域４３０が大きくなり、下部非アクティブディスプレイ領域４３２が小さくなる。特定の例示的実施形態では、ワイドスクリーンアクティブイメージ４２２は、上部（下部）に完全にシフトされ、上部（下部）非アクティブディスプレイ領域４３０（４３２）は存在せず、下部（上部）非アクティブディスプレイ領域４３２（４３０）は最大化される。ワイドスクリーンビデオイメージ４１４を標準ビデオディスプレイ４１２内でシフトさせる特定の例示的実施形態は、標準ビデオイメージ４０２をワイドスクリーンビデオディスプレイ４００内でシフトさせる図４Ａ〜図４Ｃを参照した上述の記載から当業者に容易に明らかになる。
【００６７】
本発明は、アクティブビデオ検出器１０４およびビデオプロセッサ１０６の観点で記載されたが、本発明が汎用コンピュータ（図示せず）上のソフトウェアで実現され得ることが考えられる。この実施形態では、種々のコンポーネントの１つ以上の機能が、汎用コンピュータを制御するソフトウェアで実現され得る。このソフトウェアは、例えば、磁気または光ディスク、メモリカード、あるいは可聴周波数、無線周波数、または光搬送波等のコンピュータ読み取り可能キャリアで具現化され得る。
【００６８】
本発明の特定の実施形態が示され、詳細に記載されたが、改造および改変は当業者にとって明らかである。例えば、本発明は、ワイドスクリーンイメージを標準ビデオディスプレイ内でシフトさせること、および標準イメージをワイドスクリーンビデオディスプレイ内でシフトさせるという観点で記載されたが、本発明は、ワイドスクリーンイメージをワイドスクリーンイメージとは異なったアスペクト比を有するワイドスクリーンビデオディスプレイ内でシフトさせるために用いられ得る。さらに、本明細書中で種々の実施形態が、ＮＴＳＣの観点で記載されたが、当業者は、本発明がＰＡＬ（Ｐｈａｓｅ  Ａｌｔｅｒｎａｔｉｏｎ  Ｌｉｎｅｓ）、ＳＥＣＡＭ（Ｓｙｓｔｅｍｅ  Ｅｌｅｃｔｏｎｉｑｕｅ  ｐｏｕｒ  Ｃｏｕｌｅｕｒ  ａｖｅｃ  Ｍｅｍｏｉｒｅ）、ＡＴＳＣ（Ａｄｖａｎｃｅｄ  Ｔｅｌｅｖｉｓｉｏｎ  Ｓｙｓｔｅｍ  Ｃｏｍｍｉｔｔｅｅ）、衛星または地上伝送、あるいは、ビデオ信号を通信する実質的にすべての手段に応用され得る。本発明のこのような改造および改変は、上記の請求項に記載の本発明の範囲から逸脱することなく行われ得る。
【図面の簡単な説明】
【００６９】
【図１】図１は、本発明の例示的実施形態による、ビデオ装置のブロック図である。
【図２】図２は、図１の例示的実施形態による、例示的ステップのフローチャートである。
【図３Ａ】図３Ａは、図１のビデオ装置で用いる例示的ビデオプロセッサのブロック図である。
【図３Ｂ】図３Ｂは、図１のビデオ装置で用いる代替的例示的ビデオプロセッサのブロック図である。
【図４Ａ】図４Ａは、本発明の例示的実施形態による、ワイドスクリーンビデオディスプレイに全体が表示され、かつ、中央に置かれた標準ビデオイメージの図である。
【図４Ｂ】図４Ｂは、本発明の例示的実施形態による、部分的に右にシフトされた図４Ａの標準ビデオイメージの図である。
【図４Ｃ】図４Ｃは、本発明の例示的実施形態による、完全に右にシフトされた図４Ａのワイドスクリーンビデオイメージの図である。
【図４Ｄ】図４Ｄは、本発明の例示的実施形態による、標準ビデオディスプレイに全体が表示され、かつ、中央に置かれたワイドスクリーンイメージの図である。
【図５Ａ】図５Ａは、従来技術による、ワイドスクリーンに全体が表示された標準ビデオイメージの図である。
【図５Ｂ】図５Ｂは、従来技術による、標準ビデオディスプレイに全体が表示されたワイドスクリーンビデオイメージの図である。
【符号の説明】
【００７０】
１００  ビデオ装置
１０２  ビデオディスプレイ
１０４  アクティブビデオ検出器
１０６  ビデオプロセッサ
１０８  メモリ
３００  ＣＲＴ
３０２  ＮＴＳＣ  デコーダ
３０４  プロセッサ
３０８  マトリクス
３１０  プロセッサ
３１２  偏向装置
３１４  偏向ドライバ
３１６  偏向コイルアセンブリ
４００  ワイドスクリーンビデオディスプレイ
４０２  標準アクティブ領域
４０４  左の非アクティブ領域
４０６  右の非アクティブ領域
４０８  アクティブディスプレイ領域
４１０  左の非アクティブディスプレイ領域
４１２  右の非アクティブディスプレイ領域
４１６  起点
４２０  標準ビデオディスプレイ
４２２  ワイドスクリーンアクティブイメージ領域
４２４  上部非アクティブ領域４２４
４２６  下部非アクティブ領域
４２８  アクティブディスプレイ領域
４３０  上部非アクティブディスプレイ領域
４３２  下部非アクティブディスプレイ領域
【図１】
2005218087.tif 000004
【図２】
2005218087.tif 000005
【図３Ａ】
2005218087.tif 000006
【図３Ｂ】
2005218087.tif 000007
【図４Ａ】
2005218087.tif 000008
【図４Ｂ】
2005218087.tif 000009
【図４Ｃ】
2005218087.tif 000010
【図４Ｄ】
2005218087.tif 000011
【図５Ａ】
2005218087.tif 000012
【図５Ｂ】
2005218087.tif 000013